(57)【要約】【課題】輸送等移動時に衝撃が加わるとキャリッジが暴れてしまい、装置が損傷する。【解決手段】この装置は、装置に加わる衝撃力を利用してキャリッジ２４の走査方向の位置を固定するキャリッジロック機構２７を備える。このキャリッジロック機構２７によるキャリッジロックは、キャリッジ走査によって自動的に解除できる。【選択図】図６
2009200720.tif 000002
【特許請求の範囲】
【請求項１】
画像読取センサを搭載したキャリッジを走査することにより原稿画像を読取る画像読取装置において、
画像読取装置に加わる衝撃力を利用してキャリッジの走査方向の位置を固定するロック手段を備えたことを特徴とする画像読取装置。
【請求項２】
前記キャリッジの走査方向の位置固定を自動で解除するロック解除手段を有することを特徴とする請求項１に記載の画像読取装置。
【請求項３】
記録ヘッドを搭載したキャリッジを走査することで画像を記録する記録装置において、記録装置に加わる衝撃を利用してキャリッジの走査方向の位置を固定するロック手段を備えたことを特徴とする記録装置。
【請求項４】
前記キャリッジの走査方向の位置固定を自動で解除するロック解除手段を有することを特徴とする請求項３に記載の記録装置。
【発明の詳細な説明】
【技術分野】
【０００１】
本発明は、スキャナ、プリンタ、ファクシミリ、複写機、複合機などの画像読取部または画像記録部を有する装置の画像読取センサを搭載して走査するキャリッジ及び記録ヘッド搭載して走査するキャリッジに関する。
【背景技術】
【０００２】
画像読取装置により、読み取った画像をパーソナルコンピュータに送信、保存、さらには編集する、パーソナルコンピュータで作成した文書、画像の記録装置による印刷することは職場、家庭においても一般的な作業となっている。また近年では画像読取装置と記録装置が一体化した画像読取記録装置が、本来有する利便性の高さと低価格競争で入手しやすくなった影響から普及が進んでいる。画像読取装置と記録装置が一体化した最大の特徴として、画像を簡単に複写することが可能である。FAX通信機能を設けることで、画像読取で読み取った画像を送信、受信画像を記録部で印刷することが可能な機種も製造されている。さらには各種カード型記録メディアを接続可能なカード型記録メディアコネクタを有し、カード型記録メディアに記録された画像を、パーソナルコンピュータを介さず直接記録画像として出力可能な機種もある。デジタルカメラと通信接続することで、デジタルカメラの記録画像を直接記録画像として出力可能など、利便性を高めた機種も製造されている。現在流通している機種は、特許文献１（特開2004-235831号公報）に示されているように、フラットベッドタイプのスキャナをインクジェットプリンタ等の記録装置の上に載せた形態が主流となっている。
【０００３】
フラットベッドスキャナの内部には画像読取センサを搭載したキャリッジがガイド軸及びガイドレールに対して走査可能に設けられていて、画像読取時に走査する。
【０００４】
このような走査体を設けたフラットベッドスキャナにおいては特許文献２（特開平10-004485号公報）に示すように、キャリッジロックを設けることが多い。
【０００５】
最近の機種では図１３及び図１４に示すように、キャリッジロックボタン１０２８の裏側の突起部（不図示）がキャリッジの溝部１０２４３に係合し、キャリッジの走査方向の位置を固定する構成となっている。キャリッジロックボタン１０２８による固定は製品の出荷物流時、使用者が製品を移動する時に使用する。キャリッジロックボタン１０２８による固定は、輸送等移動中に発生する衝撃によるフラットベッドスキャナ内部でのキャリッジの暴れを抑え、キャリッジ自体及びフラットベッドスキャナ内部の他部品が損傷することを防止している。
【０００６】
また、インクジェット記録装置においてはインクジェット記録装置内にインクを吐出可能な記録ヘッドを搭載したキャリッジがガイド軸及びガイドレールに対して走査可能に設けられていて、画像記録時に走査する。インクジェット記録装置においても、フラットベッドスキャナ同様、キャリッジロック機構が設けられている。輸送等移動中に発生する衝撃によるインクジェット記録装置内部でのキャリッジの暴れを抑える。それにより、キャリッジ自体及びインクジェット記録装置内部の他部品の損傷、インクジェット記録ヘッドのインク吐出部の乾燥を防ぐためにインク吐出部を覆うキャップ部材からの脱落を防止している。フラットベッドスキャナ同様、キャリッジロック部材の突起部が、キャリッジに設けられた溝に係合して機能する構成となっている。但し、電源OFF動作時、モータ駆動により自動的にキャリッジロック部材がキャリッジに設けられた溝に係合して規制する方式が主流となっており、この点がフラットベッドスキャナと異なっている。インクジェット記録装置のキャリッジロック機構の目的が単に輸送等移動時の不具合防止にとどまらず、使用者が不用意に手動でキャリッジを移動させてしまうことによるインク吐出部の乾燥防止も目的としているためである。
【特許文献１】特開2004-235831号公報
【特許文献２】特開平10-004485号公報
【発明の開示】
【発明が解決しようとする課題】
【０００７】
しかしながら、このような特許文献１及び２に開示されたような画像読取記録装置には、次のような課題が残されていた。
【０００８】
画像読取装置の動作中に電源コードを引き抜く等、強制的に電源OFFを行なうと、キャリッジが所定位置に存在しないため、キャリッジロックボタンをロック側に移動してもロックがかからない。その結果、輸送等移動時に衝撃が加わるとキャリッジが暴れてしまうことになり、装置の損傷を防止することが不可能になる。記録装置も同様に、動作中に電源コードを引き抜く等、強制的に電源OFFが行われた場合、駆動モータによりキャリッジを所定位置に移動してキャリッジの溝にキャリッジロック部材の突起を係合するという終了動作が実行されないため、ロックがかからない。よって、輸送等移動時に衝撃が加わるとキャリッジが暴れてしまうことになり、装置の損傷を防止することが不可能になる。
【０００９】
また、画像読取装置において、キャリッジロックボタンを操作しないと画像読取りセンサを搭載したキャリッジは規制されたままとなり、画像読取装置は機能しない。画像読取装置にキャリッジロックが存在することが、使用者に認識されにくい傾向が有り、操作忘れによる故障との勘違いが多い。
【００１０】
そこで本発明の目的は、上記のような課題のいずれか一つを解決できる装置を提供することにある。
【課題を解決するための手段】
【００１１】
本発明は、画像読取センサや記録ヘッドを搭載したキャリッジを走査することにより、原稿画像の読取りや画像の記録を行う装置において、当該装置に加わる衝撃力を利用してキャリッジの走査方向の位置を固定するロック手段を備えたことを特徴とする。
【発明の効果】
【００１２】
本発明によれば、輸送等移動時に衝撃があるとキャリッジが自動的に固定されるので、装置の損傷を防止できる。
【発明を実施するための最良の形態】
【００１３】
以下、図面を参照して本発明の実施形態を具体的に説明する。なお、各図面を通して同一符号は同一又は対応部分を示すものである。また、参照番号にアルファベットを添えた符号は、アルファベットを添えていない番号のみの部位を構成する下位の部位を示すものである。
【００１４】
図１は本発明の一実施形態に係る画像読取装置の斜視図であり、図２は図１の画像読取装置の原稿圧板部を開放した図である。図１、図２及び図３において、画像読取装置は、パネル部１、スキャナ部２、記録部３、電気基板部（不図示）及びカードスロット部４を備えている。なお、本実施形態に係る画像読取装置は、記録部を有することから、画像読取記録装置と称することもできる。
【００１５】
まず、スキャナ部２について説明する。
【００１６】
図２において、原稿は原稿台であるガラス２３の上面に裏向きにセットされる。ガラス２３はカバー１２５によりスキャナフレーム１２０（図３または図４参照）に上から抑えて組み付けられている。ガラス２３上の原稿の浮きを抑えるための原稿圧板部６にはスポンジフレームユニット６８が取り付けられている。
【００１７】
図４は図２のスキャナ部２においてガラス２３及びカバー１２５を外してスキャナ内部の構造がわかるようにした図である。図４において、スキャナ部２のＣＣＤ読取キャリッジ２４は、図示の左端の位置から図示の右端の位置のまでの間でスキャン移動可能に案内支持されている。スキャナ部２の内部構成部品は、すべてがスキャナフレーム１２０に取り付けられている。原稿画像を読取る読取手段であるＣＣＤ読取キャリッジ２４は、軸２５とレール１２１に沿って案内されて往復移動する。また、ＣＣＤ読取キャリッジ２４は、駆動モータ１２２を駆動源として、駆動ギア部１２３で減速され、タイミングベルト２６を介して駆動される。タイミングベルト２６は駆動ギア部１２３の反対側に配設されたプーリ１２６に掛けられている。こうして、コピーするとき、あるいはＰＣからの指令でスキャン動作をするときに、ＣＣＤ読取キャリッジ２４が矢印Ａの方向に駆動され、これに同期してガラス２３を介して原稿の画像が読取られる。
【００１８】
次に、記録部３について説明する。図５は記録部３を示す斜視図であり、符号３０１は積載された記録シートを１枚ずつ分離して送り出すシート自動給送装置を指し示す。符号３０２はシート搬送ローラ、符号３０３はピンチローラを指し示す。シート自動給送装置３０１から１枚ずつ分離給送されたシートはシート搬送ローラ３０２とピンチローラ３０３に挟持され、プラテン３０４に送り込まれる。さらに符号３０５は排紙ローラを指し示し、記録シートは排紙ローラ３０５と拍車(不図示)に挟持されて記録装置外に排出される。符号３０６は記録ヘッド、符号３０７はインクタンク、符号３０８はキャリッジ、符号３０９はガイドシャフト、符号３１０はガイドレール、符号３１１は駆動ベルトを指し示す。
【００１９】
シートＳがプラテン３０４上を通過する時、キャリッジ３０８がキャリッジモータにより駆動ベルト３１１を介して、走査方向の駆動力を伝達される。そのとき、ガイドシャフト３０９およびガイドレール３１０にガイドされて、走査方向に往復動作し、搭載された記録ヘッド３０６から、記録信号に従ってインクがシートＳに吐出されることによって、記録が行われる。
【００２０】
なお、本実施形態では、記録部３における記録手段として、吐出口から記録媒体（記録紙）へインクを吐出して記録を行うインクジェット記録ヘッドを使用する場合を例に挙げている。このようなインクジェット記録方式の中でも、インク吐出を行わせるために利用されるエネルギーとして熱を発生する手段を備え、熱によりインクの状態変化を生起させる方式のものは、記録の高密度化及び高精細化が達成できる点で好ましい。その代表的な構成や原理については、例えば、米国特許第４７２３１２９号明細書、同第４７４０７９６号明細書に開示されている基本的な原理を用いるものが好ましい。熱エネルギー発生手段としては例えば電気熱変換体やレーザ発生素子等がある。
【００２１】
図３はスキャナ部２をダンパーユニット７で記録部３に対して開放した状態を示す斜視図である。
【００２２】
図３では、不図示のスキャナ部開放検知手段によりスキャナ部２が開放した情報が電気信号としてＣＰＵに送られ、キャリッジ３０８（図７参照）がキャリッジモータの駆動により記録部３中央のインクタンク交換位置に移動した状態となっている。この状態で、作業者はインクタンクの交換作業が可能である。
【００２３】
次に、スキャナ部２のＣＣＤ読取キャリッジ２４の走査位置を固定するロック手段について説明する。
【００２４】
図６は、図４の状態からＣＣＤ読取キャリッジ２４を左端に移動させた図であり、スキャナ中央にキャリッジロック機構２７が設けられていることを示す。図７、図９、図１０は図６のキャリッジロック機構２７を拡大した図であり、キャリッジロック機構２７の動作を示す。
【００２５】
図７において、符号２７１はスライドプレート、符号２７２はロックレバー、符号２７３はロックレバーローラ、符号２７４はリリーススプリングを示している。スライドプレート２７１はスキャナフレーム１２０（図６）のボス１２０２，１２０３に長穴２７１２，２７１３でスライド可能に支持されている。このスライドプレート２７１は重量を必要とするため鉄等の金属製としている。
【００２６】
ロックレバー２７２はスライドプレート２７１のボス２７１４を中心に回転可能に支持されている。スライドプレート２７２にはタイミングベルト２６の歯型に対応した歯形を有する歯型ブロック２７１１が設けられている。ロックレバー２７２にはタイミングベルト２６を挟んで、歯型ブロック２７１１と対向するようにプレス部材２７２１が設けられている。プレス部材２７２１は通常リリーススプリング２７４によりタイミングベルト２６から離れる方向に引っ張られており、図７のように、歯型ブロック２７１１とプレス部材２７２１はタイミングベルト２６から離れた状態になっている。
【００２７】
また、スキャナフレーム１２０にはロックカム１２０１が一体的に設けられており、通常ロックレバーローラ２７３がロックカム１２０１中央の凹部に位置している。通常の使用状態ではリリーススプリング２７４の作用で、凹部からキャリッジ走査方向への移動はしない。
【００２８】
図８はキャリッジロック機構２７を図６の右方から見た右側面断面図である。タイミングベルト２６は、ＣＣＤ読取キャリッジ２４のベルト係止部２４２による係止領域と、キャリッジロック機構２７の歯型ブロック２７１１、プレス部材２７２１による挟み込み領域の両方が重ならないように上下方向に幅を持たせている。
【００２９】
次に図９、図１０を用いてキャリッジロック機構２７の動作について説明する。
【００３０】
図９において、Ｒ方向からスキャナ部２に衝撃が作用するとスライドプレート２７２がＡ方向に移動し、ロックカム１２０１に沿ってロックレバーローラ２７３が移動する。このとき、ロックレバー２７２はリリーススプリング２７４に逆らって、ボス２７１４を中心に回転する。同時にロックレバー２７２に設けられたプレス部材２７２１がタイミングベルト２６を歯型ブロック２７１１に押し付けることとなり、タイミングベルト２６と歯型ブロック２７１１の歯が噛み合ってタイミングベルト２６が固定される。したがって、ＣＣＤ読取キャリッジ２４も位置固定される。
【００３１】
ここで、ＣＣＤ読取キャリッジ２４が固定されるまでに必要なスライドプレート２７２の移動量は、ＣＣＤ読取キャリッジ２４の走査領域の端部からスキャナフレーム１２０の側壁に衝突するまでの距離より小さく設定している。従って、電源を切断された時のＣＣＤ読取キャリッジ２４の位置によらず、衝撃作用時にＣＣＤ読取キャリッジ２４がスキャナフレーム１２０の側壁に衝突することは無い。
【００３２】
さらに安全性を高めるためには、工場出荷時設定あるいは、電源ＯＦＦ時のＣＣＤ読取キャリッジの停止位置設定を図４に示すような装置中央とし、側壁からの距離を最大とすることも効果的である。
【００３３】
次に、ＣＣＤ読取キャリッジ２４が固定された状態からの復帰について説明する。図９においてＣＣＤ読取キャリッジ２４をＢ方向に移動させる駆動を作用すると、タイミングベルト２６と噛み合っている歯形ブロック２７１１、さらにはスライドプレート２７２がＢ方向に移動する。すると、リリーススプリング２７４の力によりロックレバーローラ２７３がロックカム１２０１の凹部に入り込み、歯型ブロック２７１１、タイミングベルト２６、プレス部材２７２１の当接は解除され、ＣＣＤ読取キャリッジ２４の固定も解除される。
【００３４】
以上はＲ方向からの衝撃力を受けた場合について説明したが、図１０に示すように、Ｌ方向からスキャナ部２に衝撃が作用したときは、スライドプレート２７２がＣ方向に移動し、Ｒ方向からの衝撃時と同様にＣＣＤ読取キャリッジ２４が固定される。そして、ＣＣＤ読取キャリッジ２４をＤ方向に移動させる駆動を作用すると、ＣＣＤ読取キャリッジ２４の固定は自動的に解除される。これらの動作は図９で示した動作と向きが異なるだけの動作なので、省略する。
【００３５】
また本装置には、図５に示されるような記録部３においてキャリッジ３０８の後方にスキャナ部２のキャリッジロック機構２７と同様の機構が設けられており（不図示）、図９、図１０で示した同様の動作で、キャリッジ３０８の固定、解除を可能としている。
【００３６】
次に、キャリッジロック解除のタイミングについて説明する。
【００３７】
電源投入時の装置制御プログラムの最初に、図１１のフローチャートに示すキャリッジロック解除シーケンスを設けることで、装置がどのような状態でも、確実にキャリッジロックが解除される。
【００３８】
また、記録部３においては、従来から設けられているキャリッジロックとの併用も可能である。前回電源ＯＦＦ時の状態を内蔵メモリーに記憶可能で、かつ従来から設けられているキャリッジロックと併用する装置では、前回電源ＯＦＦ時に正常終了していれば、従来から設けられているキャリッジロックにキャリッジが保持されている。このことから図１２のフローチャートに示すようにすると、キャリッジロック解除動作の無駄を避けることが可能になる。
【００３９】
以上説明した実施形態におけるキャリッジ２４または３０８のロック手段の効果を説明する。
【００４０】
上記のようにキャリッジロック機構２７は、装置に加わる衝撃力を利用してキャリッジの走査方向の位置を固定するロック手段と、このキャリッジロックをキャリッジ走査によって自動的に解除するロック解除手段とを含む。
【００４１】
この構成により、装置の動作中に電源コードを引き抜く等、強制的に電源OFFを行なっても、輸送等移動時に衝撃が加わるとキャリッジの位置が自動的に固定され、キャリッジが暴れてしまうことが無い。これにより装置の損傷を防止できる。
【００４２】
また、キャリッジ走査でキャリッジロックを自動で解除する手段を有するので、キャリッジロックボタンを操作する必要がなくなり、使用者に存在を認識されにくいキャリッジロックボタンの操作忘れによる故障との勘違いが解消される。
【００４３】
また、輸送中の衝撃でキャリッジ位置が固定されてしまった後の画像読取装置使用時にも、全く使用者を煩わせることが無い。
【００４４】
以上本発明の実施形態について図面を参照して説明したが、本発明は図面に示された構造、形に限定されることなく、本発明の要旨を逸脱しない範囲で上記実施形態に適宜変更を加えられることは言うまでもない。
【図面の簡単な説明】
【００４５】
【図１】本発明の一実施形態に係る画像読取記録装置の斜視図である。
【図２】本発明の一実施形態に係る画像読取記録装置の原稿圧板部の開放状態の斜視図である。
【図３】本発明の一実施形態に係る画像読取記録装置のスキャナ部開放状態の斜視図である。
【図４】本発明の一実施形態に係る画像読取記録装置のスキャナ部の内部平面図である。
【図５】本発明の一実施形態に係る画像読取記録装置の記録部の斜視図である。
【図６】本発明の一実施形態に係るキャリッジロック機構を有するスキャナ部の内部平面図である。
【図７】本発明の一実施形態に係るキャリッジロック機構の詳細図である。
【図８】本発明の一実施形態に係るキャリッジロック機構の右側面からみた断面図である。
【図９】本発明の一実施形態に係るキャリッジロック機構の動作説明図である。
【図１０】本発明の一実施形態に係るキャリッジロック機構の動作説明図である。
【図１１】本発明の一実施形態に係るキャリッジロック機構の解除制御フローチャートである。
【図１２】本発明の一実施形態に係るキャリッジロック機構の解除制御フローチャートである。
【図１３】従来例に係る画像読取記録装置のスキャナ部の斜視図である。
【図１４】従来例に係る画像読取記録装置のスキャナ部の開放状態の斜視図である。
【符号の説明】
【００４６】
２４    ＣＣＤ読取キャリッジ
２６    タイミングベルト
２７    キャリッジロック機構
２７１    スライドプレート
２７２    ロックレバー
２７４    リリーススプリング
１２０１    ロックカム
２７１１    歯型ブロック
２７２１    プレス部材
２７３    ロックレバーローラ
３０８    記録部のキャリッジ
【図１】
2009200720.tif 000003
【図２】
2009200720.tif 000004
【図３】
2009200720.tif 000005
【図４】
2009200720.tif 000006
【図５】
2009200720.tif 000007
【図６】
2009200720.tif 000008
【図７】
2009200720.tif 000009
【図８】
2009200720.tif 000010
【図９】
2009200720.tif 000011
【図１０】
2009200720.tif 000012
【図１１】
2009200720.tif 000013
【図１２】
2009200720.tif 000014
【図１３】
2009200720.tif 000015
【図１４】
2009200720.tif 000016